(57)【要約】【課題】  ユーザの楽曲の所有状況が考慮されることで、ユーザが意図しない楽曲を記録してしまうことを回避する記録再生装置を提供する。【解決手段】  楽曲のデータを記録して再生する記録再生装置であって、ユーザが所有する楽曲の属性情報である所有曲情報を記憶する記憶手段と、ユーザから楽曲の記録要求を受付ける要求受付け手段と、前記記憶手段の中から、前記要求受付け手段が受付けた記録要求に対応する楽曲に関連する所有曲情報を検索する検索手段と、前記検索手段の検索結果のリストを生成するリスト生成手段と、前記リスト生成手段が生成したリストと、記録実行の有無を確認するメッセージとを表示する表示手段とを備える。【選択図】  図２
2007066391.tif 000002
【特許請求の範囲】
【請求項１】
楽曲のデータを記録して再生する記録再生装置であって、
ユーザが所有する楽曲の属性情報である所有曲情報を記憶する記憶手段と、
ユーザから楽曲の記録要求を受付ける要求受付け手段と、
前記記憶手段の中から、前記要求受付け手段が受付けた記録要求に対応する楽曲に関連する所有曲情報を検索する検索手段と、
前記検索手段の検索結果のリストを生成するリスト生成手段と、
前記リスト生成手段が生成したリストと、記録実行の有無を確認するメッセージとを表示する表示手段とを備える記録再生装置。
【請求項２】
楽曲のデータを配信するサーバとネットワークを介して接続され、前記要求受付け手段が受付けた記録要求に対応する要求情報を前記サーバに送信する要求情報送信手段を更に備え、
前記検索手段は、前記要求受付け手段が受付けた記録要求に対応する要求情報と、前記要求情報送信手段が送信した記録要求に対応する要求情報に応答して、前記サーバから送信される推奨情報とに基づいて、前記記憶手段の中から、前記要求受付手段が受付けた記録要求に対応する楽曲に関連する所有曲情報を検索する請求項１に記載の記録再生装置。
【請求項３】
前記検索手段は、前記検索結果のうち、試聴回数、或いは記録日時が所定の閾値を超えている検索結果を抽出する抽出手段を更に含み、
前記リスト生成手段は、前記抽出手段の抽出結果のリストを生成する請求項２に記載の記録再生装置。
【請求項４】
前記リスト生成手段は、前記要求受付け手段が受付けた記録要求に対応する楽曲に対する関連性が高いほど、優先度が高くなるように、リストを生成することを特徴とする請求項１〜３のいずれかに記載の記録再生装置。
【請求項５】
前記関連性の度合いは、タイトルが同一の楽曲、タイトルが類似する楽曲、推奨楽曲の順番で、高くなることを特徴とする請求項４に記載の記録再生装置。
【請求項６】
車載装置であることを特徴とする請求項１〜５のいずれかに記載の記録再生装置。
【請求項７】
楽曲のデータを記録して再生する記録再生装置であって、
ユーザから楽曲の記録要求を受付ける要求受付け手段と、
前記要求受付け手段が受付けた記録要求に対応する楽曲に関連する楽曲の属性情報である関連曲情報と、ユーザが所有する楽曲の属性情報である所有曲情報とを取得し、前記所有曲情報の中から、前記関連曲情報に対応する所有曲情報を検索する検索手段と、
前記検索手段の検索結果のリストを生成するリスト生成手段と、
前記リスト生成手段が生成したリストと、記録実行の有無を確認するメッセージとを表示する表示手段とを備える記録再生装置。
【請求項８】
楽曲のデータを配信するサーバとネットワークを介して接続され、前記要求受付け手段が受付けた記録要求に対応する要求情報を前記サーバに送信する要求情報送信手段と、前記所有曲情報を記憶する記憶手段とを更に備え、
前記検索手段は、前記要求情報送信手段が送信した記録要求に対応する要求情報に応答して、前記サーバから送信される前記関連曲情報を取得し、前記記憶手段から前記所有曲情報を取得する請求項７に記載の記録再生装置。
【請求項９】
前記検索手段は、前記検索結果のうち、試聴回数、或いは記録日時が所定の閾値を超えている検索結果を抽出する抽出手段を更に含み、
前記リスト生成手段は、前記抽出手段の抽出結果のリストを生成する請求項８に記載の記録再生装置。
【請求項１０】
前記リスト生成手段は、前記関連曲情報の関連性が高いほど、優先度が高くなるように、リストを生成することを特徴とする請求項７〜９のいずれかに記載の記録再生装置。
【請求項１１】
前記関連性の度合いは、タイトルが同一の楽曲、タイトルが類似する楽曲、推奨楽曲の順番で、高くなることを特徴とする請求項１０に記載の記録再生装置。
【請求項１２】
車載装置であることを特徴とする請求項７〜１１のいずれかに記載の記録再生装置。
【請求項１３】
楽曲のデータを配信するサーバとネットワークを介して接続され、前記要求受付け手段が受付けた記録要求に対応する要求情報を前記サーバに送信する要求情報送信手段を更に備え、
前記検索手段は、前記要求情報送信手段が送信した記録要求に対応する要求情報に応答して、前記サーバから送信される前記関連曲情報と前記所有曲情報とを取得する請求項７に記載の記録再生装置。
【請求項１４】
前記検索手段は、前記検索結果のうち、試聴回数、或いは記録日時が所定の閾値を超えている検索結果を抽出する抽出手段を更に含み、
前記リスト生成手段は、前記抽出手段の抽出結果のリストを生成する請求項１３に記載の記録再生装置。
【請求項１５】
前記リスト生成手段は、前記関連曲情報の関連性が高いほど、優先度が高くなるように、リストを生成することを特徴とする請求項１３又は１４に記載の記録再生装置。
【請求項１６】
前記関連性の度合いは、タイトルが同一の楽曲、タイトルが類似する楽曲、推奨楽曲の順番で、高くなることを特徴とする請求項１５記載の記録再生装置。
【請求項１７】
車載装置であることを特徴とする請求項１３〜１６のいずれかに記載の記録再生装置。
【発明の詳細な説明】
【技術分野】
【０００１】
本発明は、楽曲を記録して再生する記録再生装置に関し、特に、ユーザの楽曲の所有状況が考慮されることで、ユーザが意図しない楽曲を記録してしまうことを回避する技術に関する。
【背景技術】
【０００２】
楽曲を配信する楽曲配信システムとしては、試聴用の楽曲へのリンクと、正規の楽曲を格納したダウンロード用のファイルへのリンクとを設けたＷｅｂページを介して、Ｗｅｂサーバから、楽曲をユーザ端末に配信する楽曲配信サービスが知られている。
【０００３】
このような楽曲配信サービスでは、ある楽曲を購入するＷｅｂページと、その楽曲に関連する他のお薦め楽曲等の楽曲情報を提案するＷｅｂページとは、別個独立したページ形式となっている。
【０００４】
このため、ユーザが参照の意志を持たない限り、楽曲情報を提案するＷｅｂページが参照されることはない。すなわち、この種の音楽配信サービスは、ユーザ主導型である。
【０００５】
したがって、楽曲配信サービス提供者は、楽曲を積極的に販売するための提案を充分になすことができず、ユーザの購買意欲を喚起することができない。そこで、従来、次のような楽曲配信システムが提案されている。
【０００６】
この楽曲配信システムでは、ユーザがある楽曲を購入しようとする場合、ユーザは、購入するＷｅｂページへのリンクアイコンをクリックする。
【０００７】
ユーザが購入するＷｅｂページへのリンクアイコンをクリックすると、クリックされた楽曲の紹介記事と共に、その楽曲に関連する他のお薦め楽曲の紹介記事がＷｅｂページに表示される。
【０００８】
これにより、楽曲を購入するＷｅｂページと、楽曲情報を提案するＷｅｂページとが一体となったページ形式となり、ユーザの購買意欲が喚起される。
【０００９】
更に、この楽曲配信システムは、ユーザの嗜好情報を収集して、ユーザが必要とする楽曲情報の提案、例えば、購入しようとする楽曲に関連する他のお薦め楽曲の提案を行う。
【００１０】
すなわち、ある楽曲を購入するＷｅｂページへのリンクアイコンをユーザがクリックするのを監視し、監視して得られるクリック監視情報をその楽曲に関連する楽曲情報の提案に反映させるのである。
【００１１】
具体的には、クリック監視情報がデータベース処理部に供給される。データベース処理部は、取得したクリック監視情報に基づいて、ユーザの嗜好情報が格納されたユーザデータベースを更新する。
【００１２】
この更新によって得られたユーザデータベースに基づいて、ユーザに提案する楽曲情報が選択される。これにより、ユーザに、適応的な楽曲情報の提案が行われ、ユーザの購買意欲が更に喚起される（例えば、特許文献１）。
【特許文献１】特開２００２−１５１９９号公報
【発明の開示】
【発明が解決しようとする課題】
【００１３】
しかしながら、上述した楽曲配信システムでは、ユーザの楽曲の所有状況が考慮されていない。
【００１４】
すなわち、この楽曲配信システムでは、ユーザが購入しようとする楽曲と同一の楽曲、或いは類似した楽曲、或いは関連する他のお薦め楽曲をユーザが既に所有している場合であっても、所有していることが無視され、その楽曲が一方的に販売されてしまう。
【００１５】
本発明は、このような問題に鑑みてなされた。すなわち、ユーザの楽曲の所有状況が考慮されることで、ユーザが意図しない楽曲を記録してしまうことを回避する記録再生装置を提供することを目的とする。
【課題を解決するための手段】
【００１６】
本発明は、楽曲のデータを記録して再生する記録再生装置を前提としている。本発明は、ユーザが所有する楽曲の属性情報である所有曲情報を記憶する記憶手段と、ユーザから楽曲の記録要求を受付ける要求受付け手段と、前記記憶手段の中から、前記要求受付け手段が受付けた記録要求に対応する楽曲に関連する所有曲情報を検索する検索手段と、前記検索手段の検索結果のリストを生成するリスト生成手段と、前記リスト生成手段が生成したリストと、記録実行の有無を確認するメッセージとを表示する表示手段とを備える構成としている。
【００１７】
これにより、ユーザの楽曲の所有状況が考慮されることで、ユーザが意図しない楽曲を記録してしまうことを回避することができる。
【００１８】
本発明は、楽曲のデータを配信するサーバとネットワークを介して接続され、前記要求受付け手段が受付けた記録要求に対応する要求情報を前記サーバに送信する要求情報送信手段を更に備え、前記検索手段は、前記要求受付け手段が受付けた記録要求に対応する要求情報と、前記要求情報送信手段が送信した記録要求に対応する要求情報に応答して、前記サーバから送信される推奨情報とに基づいて、前記記憶手段の中から、前記要求受付手段が受付けた記録要求に対応する楽曲に関連する所有曲情報を検索する構成としている。
【００１９】
これにより、ユーザの楽曲の所有状況が考慮されることで、ユーザが意図しない楽曲を記録してしまうことを回避することができる。
【００２０】
なお、前記検索手段は、前記検索結果のうち、試聴回数、或いは記録日時が所定の閾値を超えている検索結果を抽出する抽出手段を更に含み、前記リスト生成手段は、前記抽出手段の抽出結果のリストを生成する構成としてもよい。
【００２１】
なお、前記リスト生成手段は、前記要求受付け手段が受付けた記録要求に対応する楽曲に対する関連性が高いほど、優先度が高くなるように、リストを生成する構成としてもよい。
【００２２】
なお、前記関連性の度合いは、タイトルが同一の楽曲、タイトルが類似する楽曲、推奨楽曲の順番で、高くなる構成としてもよい。なお、車載装置である構成としてもよい。
【００２３】
本発明は、楽曲のデータを記録して再生する記録再生装置を前提としている。本発明は、ユーザから楽曲の記録要求を受付ける要求受付け手段と、前記要求受付け手段が受付けた記録要求に対応する楽曲に関連する楽曲の属性情報である関連曲情報と、ユーザが所有する楽曲の属性情報である所有曲情報とを取得し、前記所有曲情報の中から、前記関連曲情報に対応する所有曲情報を検索する検索手段と、前記検索手段の検索結果のリストを生成するリスト生成手段と、前記リスト生成手段が生成したリストと、記録実行の有無を確認するメッセージとを表示する表示手段とを備える構成としている。
【００２４】
これにより、ユーザの楽曲の所有状況が考慮されることで、ユーザが意図しない楽曲を記録してしまうことを回避することができる。
【００２５】
本発明は、楽曲のデータを配信するサーバとネットワークを介して接続され、前記要求受付け手段が受付けた記録要求に対応する要求情報を前記サーバに送信する要求情報送信手段と、前記所有曲情報を記憶する記憶手段とを更に備え、前記検索手段は、前記要求情報送信手段が送信した記録要求に対応する要求情報に応答して、前記サーバから送信される前記関連曲情報を取得し、前記記憶手段から前記所有曲情報を取得する構成としている。
【００２６】
これにより、ユーザの楽曲の所有状況が考慮されることで、ユーザが意図しない楽曲を記録してしまうことを回避することができる。
【００２７】
なお、前記検索手段は、前記検索結果のうち、試聴回数、或いは記録日時が所定の閾値を超えている検索結果を抽出する抽出手段を更に含み、前記リスト生成手段は、前記抽出手段の抽出結果のリストを生成する構成としてもよい。
【００２８】
なお、前記リスト生成手段は、前記関連曲情報の関連性が高いほど、優先度が高くなるように、リストを生成する構成としてもよい。
【００２９】
なお、前記関連性の度合いは、タイトルが同一の楽曲、タイトルが類似する楽曲、推奨楽曲の順番で、高くなる構成としてもよい。なお、車載装置である構成としてもよい。
【００３０】
本発明は、楽曲のデータを配信するサーバとネットワークを介して接続され、前記要求受付け手段が受付けた記録要求に対応する要求情報を前記サーバに送信する要求情報送信手段を更に備え、前記検索手段は、前記要求情報送信手段が送信した記録要求に対応する要求情報に応答して、前記サーバから送信される前記関連曲情報と前記所有曲情報とを取得する構成としている。
【００３１】
これにより、ユーザの楽曲の所有状況が考慮されることで、ユーザが意図しない楽曲を記録してしまうことを回避することができる。
【００３２】
なお、前記検索手段は、前記検索結果のうち、試聴回数、或いは記録日時が所定の閾値を超えている検索結果を抽出する抽出手段を更に含み、前記リスト生成手段は、前記抽出手段の抽出結果のリストを生成する構成としてもよい。
【００３３】
なお、前記リスト生成手段は、前記関連曲情報の関連性が高いほど、優先度が高くなるように、リストを生成する構成としてもよい。
【００３４】
なお、前記関連性の度合いは、タイトルが同一の楽曲、タイトルが類似する楽曲、推奨楽曲の順番で、高くなる構成としてもよい。なお、車載装置である構成としてもよい。
【発明の効果】
【００３５】
本発明は、上記実施の形態から明らかなように、ユーザの楽曲の所有状況が考慮されることで、ユーザが意図しない楽曲を記録してしまうことを回避する記録再生装置を提供することができる。
【発明を実施するための最良の形態】
【００３６】
以下、本発明の実施の形態における記録再生装置としての車載装置について、図面を参照しながら説明する。
【００３７】
図１は、車載装置１００と配信サーバ１２０とがネットワーク１１０を介して接続された状態を示す模式図である。
【００３８】
図１において、車載装置１００は自動車内に配置される。配信サーバ１２０は、任意の場所に設置される、例えば、楽曲サーバである。また、ネットワーク１１０は、例えば、インターネットであるが、これに限らず他のネットワークでもよい。
【００３９】
次に、車載装置１００と配信サーバ１２０の内部の構成について、図２を用いて説明する。図２に示すように、車載装置１００は、制御部２００、表示モニタ２０１、描画ＬＳＩ２０２、スピーカ２０３、ＤＡＣ２０４、記憶部２０５、要求受付け部２０６、通信部２０７、検索部２０８、抽出部２０９、及びリスト生成部２１０を備えている。
【００４０】
通信部２０７は、例えば、携帯電話である。なお、通信部２０７は、携帯電話としたが、これに限らず、ＰＨＳや無線ＬＡＮ、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭帯域無線通信）の通信方式で接続されるインターフェイスであってもよいし、いずれかの組合せであってもよい。
【００４１】
ＤＡＣ２０４は、受信した楽曲のデータをスピーカ２０３へ出力するために、制御部２００の制御に基づき、デジタルからアナログへ変換する回路である。なお、図２では、説明を簡略化するために、ＤＡＣ２０４とスピーカ２０３の間でアンプを省略している。
【００４２】
描画ＬＳＩ２０２は、制御部２００の制御に基づき、楽曲の情報のリストを表示モニタ２０１に表示させるために、楽曲の情報のリストを描画データへ変換する回路である。
【００４３】
記憶部２０５は、配信サーバ１２０から配信された楽曲のデータを記録したり、車載装置１００全体の処理を司るプログラムの実行のために使用される。更に、記憶部２０５は、ユーザが所有している楽曲のデータと、その楽曲の属性情報である所有曲情報のリスト３００（図３参照）とを記憶している。
【００４４】
なお、所有曲情報は、例えば、ユーザが所有している楽曲のタイトル、アーティスト名及び試聴回数である。なお、試聴回数に代えて、実際に記録した記録日時としてもよいし、試聴回数、記録日時の両方を所有曲情報に含めてもよい。
【００４５】
要求受付け部２０６は、ユーザからの入力を受付ける、リモコンやタッチスイッチ、音声入力用マイク等である。この要求受付け部２０６で、楽曲のデータの記録が要求される。
【００４６】
検索部２０８は、記憶部２０５の中から、要求受付け部２０６で記録が要求された楽曲とタイトルが同一の楽曲の所有曲情報、或いは当該楽曲とタイトルが類似する所有曲情報、或いは、当該楽曲に対して推奨される楽曲の所有曲情報を検索する。
【００４７】
抽出部２０９は、検索部２０８の検索結果のうち、所定の閾値（例えば、試聴回数が１０回）を超えている検索結果を抽出する。なお、抽出の対象となる情報は、試聴回数に限らず、記録日時であってもよいし、閾値は任意に設定してよい。
【００４８】
リスト生成部２１０は、抽出部２０９が抽出した結果のリストを生成する。表示モニタ２０１は、リスト生成部２１０が生成したリストを表示する。
【００４９】
なお、表示モニタ２０１、スピーカ２０３、要求受付け部２０６は、車載装置１００の内部に設けられる構成としたが、これに限らず、車載装置１００の外部に設けてもよい。
【００５０】
一方、配信サーバ１２０は、通信部２１１、記憶部２１２、制御部２１３を備えている。制御部２１３は、配信サーバの装置全体の処理を司る。
【００５１】
通信部２１１は、ネットワーク１１０を介して、車載装置１００と通信する。記憶部２１２は、配信可能な楽曲のデータと、その楽曲の属性情報（タイトル、アーティスト名、及び試聴回数）のリストとを記憶している、例えば、ＨＤＤ（ハードディスク）である。
【００５２】
次に、実施の形態における記録再生装置の動作について、図４のフロー図を用いて説明する。
【００５３】
車載装置１００に新たな楽曲のデータを記録する場合、ユーザは、要求受付け部２０６を操作して、アクセス要求を入力する。応じて、車載装置１００は、ネットワーク１１０を介して、配信サーバ１２０にアクセスする。
【００５４】
配信サーバ１２０にアクセスがあると、制御部２１３は、記憶部２１２から、配信可能な楽曲のタイトルのリストを読出す。読出されたリストは、配信サーバ１２０の通信部２１１により、ネットワーク１１０を介して、配信サーバ１２０から車載装置１００に送信される。
【００５５】
リストが配信サーバ１２０から車載装置１００に送信されると、配信可能な楽曲のタイトル及びアーティスト名のリストからなる配信Ｗｅｂページが表示モニタ２０１に表示される（ステップＳ４０１）。
【００５６】
ユーザは、表示された配信可能な楽曲のタイトル及びアーティスト名のリストを参照して、配信を希望する楽曲を要求受付け部２０６で選択する。これによって、要求受付け部２０６が記録要求を受付ける（ステップＳ４０２）。なお、ここでは、タイトルＡＡ１、アーティスト名ＡＡＡの楽曲が記録要求されたものとする。
【００５７】
要求受付け部２０６が記録要求を受付けると、検索部２０８は、要求受付け部２０６で受付けた記録要求に対応する要求情報を取得する（ステップＳ４０３）。この要求情報は、例えば、記録が要求された楽曲のタイトル及びアーティスト名である。
【００５８】
更に、要求受付け部２０６で受付けた記録要求に対応する要求情報は、車載装置１００の通信部２０７により、ネットワーク１１０を介して、車載装置１００から配信サーバ１２０に送信される（ステップＳ４０４）。車載装置１００から配信サーバ１２０に送信された記録要求に対応する要求情報に応答して、配信サーバ１２０は推奨情報を車載装置１００に送信する。
【００５９】
検索部２０８は、車載装置１００から配信サーバ１２０に送信された記録要求に対応する要求情報に応答して、配信サーバ１２０から送信される推奨情報を取得する（ステップＳ４０５）。なお、この推奨情報は、例えば、記録が要求された楽曲に対して推奨される楽曲のタイトル及びアーティスト名である。
【００６０】
検索部２０８は、推奨情報を取得すると、記憶部２０５の中から、要求受付け部２０６で記録が要求された楽曲とタイトルが同一の楽曲の所有曲情報、或いは当該楽曲とタイトルが類似する所有曲情報、或いは、当該楽曲に対して推奨される楽曲の所有曲情報を検索する（ステップＳ４０６）。
【００６１】
このステップＳ４０６の検索処理は、２つの検索処理によって構成される。第１の検索処理では、記録が要求された楽曲とタイトルが同一の楽曲の所有曲情報、或いは当該楽曲のタイトルが類似する楽曲の所有曲情報が検索され、第１の検索処理の結果のリスト５００（図５参照）が生成される。具体的には、同一楽曲の所有曲情報の検索処理では、タイトルの文字列の完全一致が判定される。類似する楽曲の所有曲情報の検索処理では、タイトルの文字列の部分一致が判定される。なお、類似する楽曲の所有曲情報を検索する処理では、タイトルの文字列の前方一致、或いは後方一致が判定される構成としてもよい。
【００６２】
また、第２の検索処理では、記録が要求された楽曲に対して推奨される楽曲の所有曲情報が検索され、第２の検索処理の結果のリスト６００（図６参照）が生成される。具体的には、推奨楽曲の所有曲情報の検索処理では、タイトルの文字列の完全一致が判定される。なお、検索部２０８は、第１の検索処理と第２の検索処理とを区別せず、一つの検索処理として、まとめて検索処理を実行する構成としてもよい。
【００６３】
なお、ここでは、タイトルが同一の楽曲として、タイトルＡＡ１の楽曲が検索され、タイトルが類似する楽曲として、タイトルＡＡ１（Ａｌｂｕｍ  Ｖｅｒｓｉｏｎ）の楽曲が検索され、推奨楽曲として、タイトルＡＡ２の楽曲が検索されたものとする。
【００６４】
ステップＳ４０６で、第１の検索処理の結果のリスト５００と、第２の検索処理の結果のリスト６００が生成されると、抽出部２０９は、試聴回数が１０回を超えている検索結果を抽出する（ステップＳ４０７）。
【００６５】
試聴回数が１０回を超えている検索結果が抽出されると、リスト生成部２１０は、リストを再構成し、抽出した結果のリスト７００（図７参照）を生成する（ステップＳ４０８）。
【００６６】
抽出した結果のリストが生成されると、制御部２００は、図８に示すように、リストと記録実行の有無を確認するメッセージを表示モニタ２０１に表示する（ステップＳ４０９）。
【００６７】
リストと記録実行の有無を確認するメッセージが表示されると、ユーザは、表示されたリストを確認し、要求受付け部２０６により、記録するのか否かを選択する（ステップＳ４１０）。
【００６８】
ステップＳ４１０で、ユーザが記録することを選択した場合、記録が要求された楽曲のデータが配信サーバ１２０から配信され、車載装置１００の記憶部２０５に記録される（ステップＳ４１１）。一方、ステップＳ４１０で、ユーザが記録しないことを選択した場合、そのまま処理が終了される。
【００６９】
これにより、ユーザの楽曲の所有状況が考慮されることで、ユーザが意図しない楽曲を記録してしまうことを回避することができる。
【００７０】
なお、本発明は、上記実施の形態の構成に限らない。例えば、ステップＳ４０６の検索結果に優先度が付与され、付与された優先度が、リスト生成部２１０のリスト生成の際に利用される構成としてもよい。
【００７１】
この場合、リスト生成部２１０は、要求受付け部２０６で受付けた記録要求に対応する楽曲に対する関連性が高いほど、表示される優先度が高くなるように、リストを生成する。例えば、記録が要求された楽曲そのもののタイトルである検索結果に、最も高い優先度１を付与する。また、当該楽曲のタイトルに類似する楽曲のタイトルである検索結果に、２番目に高い優先度２を付与する。また、当該楽曲に対して推奨される楽曲のタイトルである検索結果に、３番目に高い優先度３を付与する。
【００７２】
このように付与された優先度が高いものから順に、リストとして優先的に表示されるように、リスト生成部２１０はリストを生成する。なお、優先度の付与の仕方は、上記した構成に限らず、任意に付与してもよい。
【００７３】
なお、リスト生成部２１０は、抽出部２０９が抽出した結果のリストを生成する構成としたが、抽出部２０９が抽出することなく、検索部２０８が検索した結果のリストを生成する構成としてもよい。
【００７４】
なお、検索部２０８は、要求受付け部２０６で記録が要求された楽曲に関連する楽曲の属性情報である関連曲情報と、ユーザが所有している楽曲の属性情報である所有曲情報とを取得し、当該所有曲情報の中から、関連曲情報に対応する所有曲情報を検索する構成としてもよい。
【００７５】
この関連曲情報は、例えば、記録が要求された楽曲そのもののタイトル、或いは当該楽曲のタイトルに類似する楽曲のタイトル、或いは当該楽曲に対して推奨される楽曲のタイトルである。なお、記録が要求された楽曲とメロディが類似する楽曲のタイトルを含めてもよい。
【００７６】
この場合、要求受付け部２０６は、ユーザから楽曲の記録要求を受付ける。要求受付け部２０６で受付けられた記録要求に対応する要求情報は、車載装置１００の通信部２０７により、ネットワーク１１０を介して、車載装置１００から配信サーバ１２０に送信される。なお、この要求情報は、記録が要求された楽曲のタイトル及びアーティスト名である。
【００７７】
車載装置１００から配信サーバ１２０に送信された要求情報は、配信サーバ１２０の通信部２１１により受信される。要求情報が受信されると、配信サーバ１２０の制御部２１３は、要求情報に対応する関連曲情報を収集する。
【００７８】
収集された関連曲情報は、通信部２１１により、ネットワーク１１０を介して、配信サーバ１２０から車載装置１００に送信される。配信サーバ１２０から車載装置１００に送信された関連曲情報は、車載装置１００の検索部２０８により、取得される。
【００７９】
検索部２０８は、関連曲情報を取得すると、記憶部２０５から所有曲情報を読出して取得する。検索部２０８は、関連曲情報と所有曲情報とを取得すると、当該所有曲情報の中から、関連曲情報に対応する所有曲情報を検索する。
【００８０】
なお、ユーザが所有している楽曲のデータは、配信サーバ１２０の記憶部２１２に記憶され、所有曲情報は、配信サーバ１２０から取得される構成としてもよい。
【００８１】
この場合、要求受付け部２０６は、ユーザから楽曲の記録要求を受付ける。要求受付け部２０６で受付けられた記録要求に対応する要求情報は、車載装置１００の通信部２０７により、配信サーバ１２０に送信される。
【００８２】
車載装置１００から配信サーバ１２０に送信された要求情報に応答して、配信サーバ１２０は、関連曲情報と所有曲情報とを車載装置１００に送信する。配信サーバ１２０から車載装置に送信された関連曲情報と所有曲情報は、検索部２０８により取得される構成とすればよい。
【００８３】
なお、所有曲情報及び関連曲情報は、楽曲のタイトル及びアーティスト名からなる構成としてもよい。この場合、楽曲のタイトル及びアーティスト名に対応する所有曲情報を検索する構成とすればよい。
【００８４】
また、本実施の形態では、本発明の記録再生装置の例として、車載装置について説明したが、その他の機器、例えば、ポータブルオーディオ機器にも適用できる。
【００８５】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００８６】
本発明にかかる記録再生装置は、カーナビゲーション、カーオーディオ、ポータブルオーディオ機器等として有用である。
【図面の簡単な説明】
【００８７】
【図１】本発明の実施の形態における車載装置及び配信サーバの全体構成を示す模式図
【図２】本発明の実施の形態における車載装置及び配信サーバの構成の一例を示すブロック図
【図３】所有曲情報のリストの一例を示す図
【図４】本発明の実施の形態における車載装置の動作を示すフロー図
【図５】第１の検索処理の結果のリストの一例を示す図
【図６】第２の検索処理の結果のリストの一例を示す図
【図７】抽出した結果のリストの一例を示す図
【図８】リストと記録実行の有無を確認するメッセージとの表示例を示す図
【符号の説明】
【００８８】
１００  車載装置
１１０  ネットワーク
１２０  配信サーバ
２００  制御部
２０１  表示モニタ
２０２  描画ＬＳＩ
２０３  スピーカ
２０４  ＤＡＣ
２０５  記憶部
２０６  要求受付け部
２０７  通信部
２０８  検索部
２０９  抽出部
２１０  リスト生成部
２１１  通信部
２１２  記憶部
２１３  制御部
【図１】
2007066391.tif 000003
【図２】
2007066391.tif 000004
【図３】
2007066391.tif 000005
【図４】
2007066391.tif 000006
【図５】
2007066391.tif 000007
【図６】
2007066391.tif 000008
【図７】
2007066391.tif 000009
【図８】
2007066391.tif 000010